(57)【要約】【課題】従来のＡＶデータ送受信システムで宅外からＡＶデータ受信装置の登録を行う場合、一旦最大台数まで受信装置を登録すると、宅外から新規のＡＶデータ受信装置を登録することが容易ではないという課題があった。【解決手段】ＡＶデータ送受信方法であって、携帯端末２が宅外無線ネットワーク７に接続された場合に、携帯端末２が宅外送信装置情報を登録しＡＶサーバ１が宅外受信装置情報を登録するステップ（Ｓ４１０、Ｓ４１２）と、携帯端末２が宅内無線ネットワーク４に接続された場合に、携帯端末２が宅内送信装置情報と宅外送信装置情報とが一致しているか否かを判断するステップ（Ｓ５０３）と、携帯端末２が一致していると判断した場合に、宅内受信装置情報をＡＶサーバ１に登録させるステップ（Ｓ５０９）と、ＡＶサーバ１が宅外受信装置情報を削除するステップ（Ｓ５１１）と、ＡＶデータを伝送するステップ（Ｓ５１３）とを含む。【選択図】図５
2012004916.tif 000002
【特許請求の範囲】
【請求項１】
ＡＶデータを送信するＡＶデータ送信装置とＡＶデータを受信するＡＶデータ受信装置との間でＡＶデータの送受信を行うＡＶデータ送受信方法であって、
前記ＡＶデータ受信装置が宅外ネットワークを介してＡＶデータ送信装置と接続された場合に、前記ＡＶデータ受信装置が当該ＡＶデータ送信装置の識別情報である宅外送信装置情報を登録するとともに、当該ＡＶデータ送信装置が前記ＡＶデータ受信装置の識別情報である宅外受信装置情報を登録する宅外情報登録ステップと、
前記ＡＶデータ受信装置が宅内ネットワークを介してＡＶデータ送信装置と接続された場合に、前記ＡＶデータ受信装置が、当該ＡＶデータ送信装置の識別情報である宅内送信装置情報を取得し、取得した前記宅内送信装置情報と登録されている前記宅外送信装置情報とが一致しているか否かを判断する判断ステップと、
前記ＡＶデータ受信装置が、前記宅内送信装置情報と前記宅外送信装置情報とが一致していると判断した場合に、前記ＡＶデータ受信装置の識別情報である宅内受信装置情報を前記ＡＶデータ送信装置に登録させる宅内受信情報登録ステップと、
前記ＡＶデータ送信装置が、登録している前記宅外受信装置情報のうち登録された前記宅内受信装置情報と一致している宅外受信装置情報を削除する宅外受信情報削除ステップと、
前記ＡＶデータ送信装置が前記ＡＶデータを暗号化して送信し、前記ＡＶデータ受信装置が前記ＡＶデータを受信して復号するＡＶデータ伝送ステップと
を含むＡＶデータ送受信方法。
【請求項２】
ＡＶデータを送信するＡＶデータ送信装置から、暗号化されたＡＶデータを受信するＡＶデータ受信部と、
前記暗号化されたＡＶデータを復号する復号部と、
前記ＡＶデータ送信装置との間でコマンドを送受信するコマンド送受信部と、
前記ＡＶデータ送信装置との間での近接性を確認する近接確認処理を実行し、自機器の識別情報である第1の受信装置情報を前記ＡＶデータ送信装置に登録させる第１の機器登録部と、
前記ＡＶデータ送信装置との間で前記近接確認処理を実行せずに、自機器の識別情報である第２の受信装置情報を前記ＡＶデータ送信装置に登録させる第２の機器登録部と、
前記ＡＶデータ送信装置との間で認証処理を実行し、自機器の識別情報が前記ＡＶデータ送信装置に登録されている場合に鍵情報の交換処理を実行する認証鍵交換部と、
前記第２の機器登録部によって自機器を登録したＡＶデータ送信装置の識別情報である第２の送信装置情報を記憶する識別情報記憶部と、
宅内ネットワークに接続されているＡＶデータ送信装置を検索し、当該ＡＶデータ送信装置の識別情報である第1の送信装置情報を取得する機器検索部とを備え、
前記第１の機器登録部は、取得された前記第１の送信装置情報と記憶されている前記第２の送信装置情報とが一致した場合に、前記第1の受信装置情報を、登録されている前記第２の受信装置情報に代えて前記ＡＶデータ送信装置に登録させ、
前記復号部は、前記鍵情報を用いて、前記暗号化されたＡＶデータを復号する
ＡＶデータ受信装置。
【請求項３】
さらに、
宅内ネットワークに接続されたことを検出する宅内ネットワーク接続検出部を備え、
前記機器検索部は、前記宅内ネットワークに接続されたことが検出された場合に、前記宅内ネットワークに接続されているＡＶデータ送信装置を検索して前記第1の送信装置情報を取得し、
前記第１の機器登録部は、前記識別情報記憶部によって記憶されている第２の送信装置情報と、前記機器検索部によって取得された前記第1の送信装置情報とが一致した場合に、前記第1の受信装置情報を前記ＡＶデータ送信装置に登録させる
請求項２に記載のＡＶデータ受信装置。
【請求項４】
ＡＶデータを暗号化する暗号処理部と、
暗号化した前記ＡＶデータを、ＡＶデータを受信するＡＶデータ受信装置に送信するＡＶデータ送信部と、
前記ＡＶデータ受信装置との間でコマンドを送受信するコマンド送受信部と、
前記ＡＶデータ受信装置との間での近接性を確認する近接確認処理を実行し、前記ＡＶデータ受信装置の識別情報である第1の受信装置情報を自機器に登録する第１の機器登録部と、
前記ＡＶデータ受信装置との間で前記近接確認処理を実行せずに、前記ＡＶデータ受信装置の識別情報である第２の受信装置情報を自機器に登録する第２の機器登録部と、
前記ＡＶデータ受信装置との間で認証処理を実行し、前記ＡＶデータ受信装置の識別情報が自機器に登録されている場合に鍵情報の交換処理を実行する認証鍵交換部と、
前記第1の受信装置情報と前記第２の受信装置情報とをそれぞれ記憶する識別情報管理部とを備え、
前記第２の機器登録部は、前記第１の機器登録部によって登録された第１の受信装置情報を、前記第２の受信装置情報として登録していた場合、登録していた当該第２の受信装置情報を削除し、
前記ＡＶデータ送信部は、前記鍵情報を用いて暗号化した前記ＡＶデータを前記ＡＶデータ受信装置に送信する
ＡＶデータ送信装置。
【請求項５】
ＡＶデータを送信するＡＶデータ送信装置から、暗号化されたＡＶデータを受信するＡＶデータ受信ステップと、
前記暗号化されたＡＶデータを復号する復号ステップと、
前記ＡＶデータ送信装置との間での近接性を確認する近接確認処理を実行し、自機器の識別情報である第1の受信装置情報を前記ＡＶデータ送信装置に登録させる第１の機器登録ステップと、
前記ＡＶデータ送信装置との間で前記近接確認処理を実行せずに、自機器の識別情報である第２の受信装置情報を前記ＡＶデータ送信装置に登録させる第２の機器登録ステップと、
前記ＡＶデータ送信装置との間で認証処理を実行し、自機器の識別情報が前記ＡＶデータ送信装置に登録されている場合に鍵情報の交換処理を実行する認証鍵交換ステップと、
前記第２の機器登録ステップにおいて自機器を登録したＡＶデータ送信装置の識別情報である第２の送信装置情報を記憶する識別情報記憶ステップと、
宅内ネットワークに接続されているＡＶデータ送信装置を検索し、当該ＡＶデータ送信装置の識別情報である第1の送信装置情報を取得する機器検索ステップとを含み、
前記第１の機器登録ステップでは、取得された前記第１の送信装置情報と記憶されている前記第２の送信装置情報とが一致した場合に、前記第1の受信装置情報を、登録されている前記第２の受信装置情報に代えて前記ＡＶデータ送信装置に登録させ、
前記復号ステップでは、前記鍵情報を用いて、前記暗号化されたＡＶデータを復号する
ＡＶデータ受信方法。
【請求項６】
ＡＶデータを暗号化する暗号処理ステップと、
暗号化した前記ＡＶデータを、ＡＶデータを受信するＡＶデータ受信装置に送信するＡＶデータ送信ステップと、
前記ＡＶデータ受信装置との間でコマンドを送受信するコマンド送受信ステップと、
前記ＡＶデータ受信装置との間での近接性を確認する近接確認処理を実行し、前記ＡＶデータ受信装置の識別情報である第1の受信装置情報を自機器に登録する第１の機器登録ステップと、
前記ＡＶデータ受信装置との間で前記近接確認処理を実行せずに、前記ＡＶデータ受信装置の識別情報である第２の受信装置情報を自機器に登録する第２の機器登録ステップと、
前記ＡＶデータ受信装置との間で認証処理を実行し、前記ＡＶデータ受信装置の識別情報が自機器に登録されている場合に鍵情報の交換処理を実行する認証鍵交換ステップと、
前記第1の受信装置情報と前記第２の受信装置情報とをそれぞれ記憶する識別情報管理ステップとを含み、
前記第２の機器登録ステップでは、前記第１の機器登録ステップにおいて登録された第１の受信装置情報を、前記第２の受信装置情報として登録していた場合、登録していた当該第２の受信装置情報を削除し、
前記ＡＶデータ送信ステップでは、前記鍵情報を用いて暗号化した前記ＡＶデータを前記ＡＶデータ受信装置に送信する
ＡＶデータ送信方法。
【請求項７】
ＡＶデータを送信するＡＶデータ送信装置と、ＡＶデータを受信するＡＶデータ受信装置とが、ＡＶデータを送受信するＡＶデータ送受信システムであって、
前記ＡＶデータ送信装置は、
ＡＶデータを暗号化する暗号処理部と、
暗号化した前記ＡＶデータを、前記ＡＶデータ受信装置に送信するＡＶデータ送信部と、
前記ＡＶデータ受信装置との間でコマンドを送受信する第１のコマンド送受信部と、
前記ＡＶデータ受信装置との間での近接性を確認する近接確認処理を実行し、前記ＡＶデータ受信装置の識別情報である第1の受信装置情報を自機器に登録する第１の機器登録部と、
前記ＡＶデータ受信装置との間で前記近接確認処理を実行せずに、前記ＡＶデータ受信装置の識別情報である第２の受信装置情報を自機器に登録する第２の機器登録部と、
前記ＡＶデータ受信装置との間で認証処理を実行し、前記ＡＶデータ受信装置の識別情報が自機器に登録されている場合に鍵情報の交換処理を実行する第１の認証鍵交換部と、
前記第1の受信装置情報と前記第２の受信装置情報とをそれぞれ記憶する識別情報管理部とを備え、
前記第２の機器登録部は、前記第１の機器登録部によって登録された第１の受信装置情報を、前記第２の受信装置情報として登録していた場合、登録していた当該第２の受信装置情報を削除し、
前記ＡＶデータ送信部は、前記鍵情報を用いて暗号化した前記ＡＶデータを前記ＡＶデータ受信装置に送信し、
前記ＡＶデータ受信装置は、
前記ＡＶデータ送信装置から、暗号化されたＡＶデータを受信するＡＶデータ受信部と、
前記暗号化されたＡＶデータを復号する復号部と、
前記ＡＶデータ送信装置との間でコマンドを送受信する第２のコマンド送受信部と、
前記ＡＶデータ送信装置との間での近接性を確認する近接確認処理を実行し、自機器の識別情報である第1の受信装置情報を前記ＡＶデータ送信装置に登録させる第３の機器登録部と、
前記ＡＶデータ送信装置との間で前記近接確認処理を実行せずに、自機器の識別情報である第２の受信装置情報を前記ＡＶデータ送信装置に登録させる第４の機器登録部と、
前記ＡＶデータ送信装置との間で認証処理を実行し、自機器の識別情報が前記ＡＶデータ送信装置に登録されている場合に鍵情報の交換処理を実行する第２の認証鍵交換部と、
前記第２の機器登録部によって自機器を登録したＡＶデータ送信装置の識別情報である第２の送信装置情報を記憶する識別情報記憶部と、
宅内ネットワークに接続されているＡＶデータ送信装置を検索し、当該ＡＶデータ送信装置の識別情報である第1の送信装置情報を取得する機器検索部とを備え、
前記第３の機器登録部は、取得された前記第１の送信装置情報と記憶されている前記第２の送信装置情報とが一致した場合に、前記第1の受信装置情報を、登録されている前記第２の受信装置情報に代えて前記ＡＶデータ送信装置に登録させ、
前記復号部は、前記鍵情報を用いて、前記暗号化されたＡＶデータを復号する
ＡＶデータ送受信システム。
【請求項８】
ＡＶデータを送信するＡＶデータ送信装置から、暗号化されたＡＶデータを受信するＡＶデータ受信ステップと、
前記暗号化されたＡＶデータを復号する復号ステップと、
前記ＡＶデータ送信装置との間での近接性を確認する近接確認処理を実行し、自機器の識別情報である第1の受信装置情報を前記ＡＶデータ送信装置に登録させる第１の機器登録ステップと、
前記ＡＶデータ送信装置との間で前記近接確認処理を実行せずに、自機器の識別情報である第２の受信装置情報を前記ＡＶデータ送信装置に登録させる第２の機器登録ステップと、
前記ＡＶデータ送信装置との間で認証処理を実行し、自機器の識別情報が前記ＡＶデータ送信装置に登録されている場合に鍵情報の交換処理を実行する認証鍵交換ステップと、
前記第２の機器登録ステップにおいて自機器を登録したＡＶデータ送信装置の識別情報である第２の送信装置情報を記憶する識別情報記憶ステップと、
宅内ネットワークに接続されているＡＶデータ送信装置を検索し、当該ＡＶデータ送信装置の識別情報である第1の送信装置情報を取得する機器検索ステップとをコンピュータに実行させ、
前記第１の機器登録ステップでは、取得された前記第１の送信装置情報と記憶されている前記第２の送信装置情報とが一致した場合に、前記第1の受信装置情報を、登録されている前記第２の受信装置情報に代えて前記ＡＶデータ送信装置に登録させ、
前記復号ステップでは、前記鍵情報を用いて、前記暗号化されたＡＶデータを復号する
ＡＶデータ受信プログラム。
【発明の詳細な説明】
【技術分野】
【０００１】
本発明は、著作権保護されたＡＶデータを送受信するためのＡＶデータ送受信方法、ＡＶデータ受信装置、ＡＶデータ送信装置、ＡＶデータ受信方法、ＡＶデータ送信方法及びＡＶデータ送受信システムに関するものである。
【背景技術】
【０００２】
近年、宅内のＡＶ（Ａｕｄｉｏ Ｖｉｓｕａｌ）機器をネットワークで接続し、各種ＡＶコンテンツの共有を図る宅内ＡＶネットワークが実現されている。宅内ＡＶネットワークの実現形態のひとつとして、宅内にルータを設け、そのルータにＰＣやデジタルテレビなどの各装置と、コンテンツを蓄積するＡＶサーバとをスター型で接続する形態が考えられる。ルータは、宅内のネットワークと宅外のネットワークとを接続する装置である。
【０００３】
宅内のＡＶサーバは、このルータを介して、宅外のネットワークから取得された各種コンテンツや、ネットワーク以外の手段、例えばデジタル放送により放送された各種ＡＶコンテンツを一旦蓄積し、各機器からの要求に応じて各種ＡＶコンテンツを要求したデジタルテレビなどのＡＶデータ受信装置へ送信する機能を有する。
【０００４】
一方、著作権保護が必要なＡＶコンテンツを扱う場合、ネットワークを介してＡＶコンテンツを伝送する際に、ＡＶコンテンツの著作権を保護する必要がある。著作権を保護するための方法として、著作権保護を必要とするデータを暗号化してデータの不正な利用を防止する方法が一般的である。
【０００５】
そのような著作権保護システムの例として、ＤＴＣＰ−ＩＰ（Ｄｉｇｉｔａｌ  Ｔｒａｎｓｍｉｓｓｉｏｎ  Ｃｏｎｔｅｎｔ  Ｐｒｏｔｅｃｔｉｏｎ  ｏｖｅｒ  Ｉｎｔｅｒｎｅｔ  Ｐｒｏｔｏｃｏｌ）方式が規格化されている（例えば、非特許文献１参照）。
【０００６】
ＤＴＣＰ−ＩＰ方式は、認証機能と鍵の無効化機能とを備えており、ＡＶデータを伝送する際に、不正な機器を排除し、著作権保護が必要なＡＶデータを暗号化して伝送することにより、ＡＶデータの著作権を保護している。
【０００７】
また、一般に、デジタル放送番組のようなＡＶコンテンツは、家庭内の個人的利用の範囲で、記録再生等の利用が認められているため、宅内のＡＶサーバに記録されたＡＶデータを、インターネットを介して宅外の不特定多数の受信装置に無制限に配信するような、個人的利用の範囲を越えた利用も制限する必要がある。
【０００８】
ＤＴＣＰ−ＩＰ方式では、送信するコマンドの到達範囲を限定するために、生存時間（ＴＴＬ：Ｔｉｍｅ  Ｔｏ  Ｌｉｖｅ）と往復伝送時間（ＲＴＴ：Ｒｏｕｎｄ  Ｔｒｉｐ  Ｔｉｍｅ）とを利用している。
【０００９】
ここで、ＴＴＬは、中継機器であるルータの数、すなわちホップ数を制限するものであり、ＩＰパケットヘッダに含まれるＴＴＬフィールドに設定された値によって、ＩＰパケットが経由できるルータの最大数を設定することができるというものである。ＤＴＣＰ−ＩＰでは、認証鍵交換用のコマンドを伝送するＩＰパケットのＴＴＬを３以下に設定することが規定されており、ＴＴＬが３より大きいＩＰパケットに格納されたコマンドは無視するように規定されている。
【００１０】
また、ＤＴＣＰ−ＩＰにおける認証鍵交換処理の中に、ＲＴＴを測定するためのコマンドトランザクションが規定されている。そして、ＡＶデータを送信する送信装置は、ＲＴＴ測定用コマンドを受信装置に送信し、受信装置からの応答を受信するまでの時間を測定することでＲＴＴを測定し、ＲＴＴが７ｍｓ以下の場合のみ、鍵交換処理を実行するようにしている。
【００１１】
このように、ＤＴＣＰ−ＩＰ方式では、ＴＴＬとＲＴＴによって受信装置の近接性を判定し、宅外の受信装置への無制限なＡＶデータ配信を防止している。
【００１２】
そのため、従来のＤＴＣＰ−ＩＰ方式では、宅外から自宅のＡＶサーバに記録されているＡＶコンテンツをＡＶサーバのユーザ自身が個人的に視聴するといった個人的利用の範囲の利用も、前記近接性の確認によって制約されてしまうという課題がある。そこで、個人的利用の範囲を越えない範囲に限定して、宅外機器への配信を可能にするＡＶデータ送受信システムが開発されている。
【００１３】
このようなＡＶデータ送受信システムにおいては、あらかじめ宅外の受信装置を宅内の送信装置あるいは中継装置に登録する。例えば、特許文献１におけるＡＶデータ送受信システムでは、あらかじめ宅内において、中継装置に、受信装置の識別情報を登録しておき、宅外の受信装置から要求された認証鍵交換処理において、送信装置と受信装置間の近接確認処理は実行せず、受信装置の識別情報が登録されていることを確認することによって、特定の宅外機器のみにＡＶデータ配信を限定している。
【先行技術文献】
【特許文献】
【００１４】
【特許文献１】特許第３８２６１００号公報（第１０ページ）
【非特許文献】
【００１５】
【非特許文献１】ＤＴＣＰ  Ｖｏｌｕｍｅ  １  Ｓｕｐｐｌｅｍｅｎｔ  Ｅ  Ｍａｐｐｉｎｇ  ＤＴＣＰ  ｔｏ  ＩＰ  （Ｉｎｆｏｒｍａｔｉｖｅ  Ｖｅｒｓｉｏｎ）Ｒｅｖｉｓｉｏｎ  １．２（第３２ページ、第３８ページ〜第４３ページ）
【発明の概要】
【発明が解決しようとする課題】
【００１６】
ここで、従来のＡＶデータ送受信システムでは、上記のように、あらかじめ宅内において、送信装置に受信装置の識別情報を登録する方法の場合、例えば、別宅に設置した受信装置を登録したい場合や、宅内での登録を忘れて受信装置を持出し宅外から登録したい場合に、不便である。
【００１７】
また、宅外からの登録を許可する方法としては、あらかじめ暗証番号等のユーザを特定するユーザ識別情報を送信装置に登録しておき、受信装置を登録する時に、そのユーザ識別情報を入力させることによって、宅内での機器登録をせずに、特定の受信装置のみ登録を許可する方法がある。
【００１８】
以下、上述したユーザ識別情報を用いて宅外からの登録を許可する、従来のＡＶデータ送受信システムの動作について説明する。
【００１９】
図６は、従来のＡＶデータ送受信システムを構成する宅内及び宅外のＡＶデータ送信装置、ＡＶデータ受信装置、ルータが、宅内無線ネットワーク、インターネット及び宅外無線ネットワークを介して接続されている状態を示す図である。
【００２０】
図６において、宅内には、ＡＶデータ送信装置であるＡＶサーバ１０１及びＡＶデータ受信装置である携帯端末１０２及び携帯端末１０３が、無線メディア（ＩＥＥＥ８０２．１１）からなる宅内無線ネットワーク１０４を介して接続されている。ルータ１０５は、宅内機器と宅外機器との間でデータの送受信を行うためのブリッジ装置であり、宅内無線ネットワーク１０４を介してＡＶサーバ１０１、携帯端末１０２、携帯端末１０３と接続可能であり、インターネット１０６を介して宅外機器と接続することができる。
【００２１】
携帯端末１０２または携帯端末１０３を宅外に移動して使用する場合、宅外用の無線メディア（ＩＥＥＥ８０２．１６）からなる宅外無線ネットワーク１０７を介してインターネット１０６に接続し、さらにルータ１０５、及び宅内無線ネットワーク１０４を介して宅内のＡＶサーバ１０１にアクセスすることができる。
【００２２】
また、ＡＶサーバ１０１、携帯端末１０２、及び携帯端末１０３には前記したＤＴＣＰ−ＩＰ方式の認証鍵交換処理及び、宅外機器配信用の認証鍵交換処理が実装されている。つまり、宅内機器間のＡＶデータ伝送の際は、ＴＴＬ及びＲＴＴによる近接性の確認が行われる通常の認証鍵交換処理が実行され、宅外機器と宅内機器間では近接性の確認が行われず、ユーザ識別情報の確認を行うなどの宅外機器配信用の認証鍵交換処理が実行される。
【００２３】
図７は、従来のＡＶデータ送受信システムにおいて、ユーザ識別情報を使用して、宅外の携帯端末１０２を宅内のＡＶサーバ１０１に登録し、宅外機器へのＡＶデータ配信を実行する場合の実行シーケンスを示すフローチャートである。
【００２４】
まず、宅内において、リモコン等の手段によって暗証番号がＡＶサーバ１０１に入力される（Ｓ６０１）。そして、ＡＶサーバ１０１は、ユーザ識別情報として暗証番号を登録す（Ｓ６０２）。
【００２５】
続いて、携帯端末１０２は、宅外無線ネットワークに接続された状態で、ＡＶサーバ１０１とアクセスする場合、ユーザに暗証番号の入力を促し、入力させる（Ｓ６０３）。そして、携帯端末１０２は、宅外機器登録認証処理を実行する（Ｓ６０４）。
【００２６】
具体的には、宅外機器登録認証処理（Ｓ６０４）において、ＡＶサーバ１０１は、登録されている受信装置の台数が既に最大値に達している場合は、認証処理を失敗させる。また、携帯端末１０２は、暗証番号を暗号化してＡＶサーバ１０１に送信し、ＡＶサーバ１０１は受信した暗証番号が登録済みであれば、認証処理を成功させ、未登録であれば失敗させる。
【００２７】
そして、ＡＶサーバ１０１は、認証処理の成否を判定し（Ｓ６０５）、認証処理が成功であれば（Ｓ６０５でＹＥＳ）、携帯端末１０２の機器識別情報を登録する（Ｓ６０６）。ＡＶサーバ１０１は、認証処理が失敗であれば（Ｓ６０５でＮＯ）、処理を終了する。また、携帯端末１０２についても、認証処理の成否を判定する（Ｓ６０７）。
【００２８】
そして、携帯端末１０２での認証処理が成功した場合（Ｓ６０７でＹＥＳ）、かつ、ＡＶサーバ１０１での認証処理が成功した場合（Ｓ６０５でＹＥＳ）、ＡＶサーバ１０１と携帯端末１０２との間で宅外機器認証鍵交換処理を実行する（Ｓ６０８）。そして、ＡＶサーバ１０１は、携帯端末１０２へのＡＶデータ伝送を実行する（Ｓ６０９）。
【００２９】
このように、上記のようなユーザ識別情報によって宅外機器を限定する方法の場合、送信装置に登録したユーザ識別情報が、インターネットのウェブサイト等で不特定多数のユーザに開示されてしまうと、不特定多数の宅外機器にＡＶデータを配信することができる。そのため、ユーザ識別情報によって宅外機器を限定する方法の場合、宅内において機器登録を行う方法に比べ、登録可能な受信装置の台数をより少なく設定する必要がある。
【００３０】
また、一旦登録された受信装置の識別情報の削除についても、容易な削除を許すことになる。そのため、ユーザ識別情報によって宅外機器を限定する方法の場合、宅内において機器登録を行う方法に比べ、一旦登録した受信装置の識別情報の削除についても、削除禁止期間を設けるなど、より厳しい条件を設定する必要がある。
【００３１】
以上のように、上記のような従来のＡＶデータ送受信システムでは、登録可能な受信装置の台数を少なく設定する必要があるとともに、登録した受信装置の識別情報の削除に厳しい条件を設定する必要がある。しかし、宅外から受信装置の登録を行う場合、登録可能な受信装置の台数が少ないと、ユーザがその最大台数まで受信装置を登録する可能性が高い。また、登録した受信装置の識別情報の削除に厳しい条件が設定されていると、登録台数が一旦最大数に達してしまった場合に、新規の受信装置を登録することが容易ではないという課題があった。
【００３２】
そこで、本発明は、このような課題に鑑みてなされたものであり、個人的利用の範囲に限定して、宅外の受信装置への配信及び宅外からの受信装置の登録を可能にすると共に、宅外から登録可能な最大台数まで登録した場合でも、新規の受信装置を登録することができるＡＶデータ送受信方法、ＡＶデータ受信装置、ＡＶデータ送信装置、ＡＶデータ受信方法、ＡＶデータ送信方法及びＡＶデータ送受信システムを提供することを目的とする。
【課題を解決するための手段】
【００３３】
上記目的を達成するために、本発明に係るＡＶデータ送受信方法は、ＡＶデータを送信するＡＶデータ送信装置とＡＶデータを受信するＡＶデータ受信装置との間でＡＶデータの送受信を行うＡＶデータ送受信方法であって、前記ＡＶデータ受信装置が宅外ネットワークを介してＡＶデータ送信装置と接続された場合に、前記ＡＶデータ受信装置が当該ＡＶデータ送信装置の識別情報である宅外送信装置情報を登録するとともに、当該ＡＶデータ送信装置が前記ＡＶデータ受信装置の識別情報である宅外受信装置情報を登録する宅外情報登録ステップと、前記ＡＶデータ受信装置が宅内ネットワークを介してＡＶデータ送信装置と接続された場合に、前記ＡＶデータ受信装置が、当該ＡＶデータ送信装置の識別情報である宅内送信装置情報を取得し、取得した前記宅内送信装置情報と登録されている前記宅外送信装置情報とが一致しているか否かを判断する判断ステップと、前記ＡＶデータ受信装置が、前記宅内送信装置情報と前記宅外送信装置情報とが一致していると判断した場合に、前記ＡＶデータ受信装置の識別情報である宅内受信装置情報を前記ＡＶデータ送信装置に登録させる宅内受信情報登録ステップと、前記ＡＶデータ送信装置が、登録している前記宅外受信装置情報のうち登録された前記宅内受信装置情報と一致している宅外受信装置情報を削除する宅外受信情報削除ステップと、前記ＡＶデータ送信装置が前記ＡＶデータを暗号化して送信し、前記ＡＶデータ受信装置が前記ＡＶデータを受信して復号するＡＶデータ伝送ステップとを含む。
【００３４】
これによれば、ＡＶデータ受信装置が宅外ネットワークに接続された場合に、ＡＶデータ送信装置に宅外受信装置情報を登録する。そして、ＡＶデータ受信装置が、宅外ネットワークから宅内ネットワークへ接続先を変更することで宅内送信装置情報と宅外送信装置情報とが一致したと判断した場合に、宅内受信装置情報をＡＶデータ送信装置に登録させる。そして、ＡＶデータ送信装置が、当該宅内受信装置情報と一致している宅外受信装置情報を削除する。つまり、ＡＶデータ受信装置が宅外ネットワークに接続されている場合は、ＡＶデータ送信装置に宅外受信装置情報を登録することで、ＡＶデータを受信することができる。そして、ＡＶデータ受信装置が宅外ネットワークから宅内ネットワークへ接続先を変更した場合に、宅外でＡＶデータを受信するためにＡＶデータ送信装置に登録されていた宅外受信装置情報が削除される。これにより、個人的利用の範囲に限定して、宅外の受信装置への配信及び宅外からの受信装置の登録を可能にすると共に、宅外から登録可能な最大台数まで登録した場合でも、新規の受信装置を登録することができる。
【００３５】
また、上記目的を達成するために、本発明に係るＡＶデータ受信装置は、ＡＶデータを送信するＡＶデータ送信装置から、暗号化されたＡＶデータを受信するＡＶデータ受信部と、前記暗号化されたＡＶデータを復号する復号部と、前記ＡＶデータ送信装置との間でコマンドを送受信するコマンド送受信部と、前記ＡＶデータ送信装置との間での近接性を確認する近接確認処理を実行し、自機器の識別情報である第1の受信装置情報を前記ＡＶデータ送信装置に登録させる第１の機器登録部と、前記ＡＶデータ送信装置との間で前記近接確認処理を実行せずに、自機器の識別情報である第２の受信装置情報を前記ＡＶデータ送信装置に登録させる第２の機器登録部と、前記ＡＶデータ送信装置との間で認証処理を実行し、自機器の識別情報が前記ＡＶデータ送信装置に登録されている場合に鍵情報の交換処理を実行する認証鍵交換部と、前記第２の機器登録部によって自機器を登録したＡＶデータ送信装置の識別情報である第２の送信装置情報を記憶する識別情報記憶部と、宅内ネットワークに接続されているＡＶデータ送信装置を検索し、当該ＡＶデータ送信装置の識別情報である第1の送信装置情報を取得する機器検索部とを備え、前記第１の機器登録部は、取得された前記第１の送信装置情報と記憶されている前記第２の送信装置情報とが一致した場合に、前記第1の受信装置情報を、登録されている前記第２の受信装置情報に代えて前記ＡＶデータ送信装置に登録させ、前記復号部は、前記鍵情報を用いて、前記暗号化されたＡＶデータを復号する。
【００３６】
これによれば、ＡＶデータ受信装置は、ＡＶデータ送信装置との間で近接確認処理を実行せずに、第２の受信装置情報をＡＶデータ送信装置に登録させる。つまり、ＡＶデータ受信装置が宅外ネットワークに接続されている場合は、ＡＶデータ受信装置は、近接確認処理を実行せずにＡＶデータ送信装置に第２の受信装置情報を登録させることで、ＡＶデータを受信することができる。また、ＡＶデータ受信装置は、宅内ネットワークに接続されているＡＶデータ送信装置を検索し、第１の送信装置情報と第２の送信装置情報とが一致した場合に、第1の受信装置情報を第２の受信装置情報に代えてＡＶデータ送信装置に登録させる。つまり、ＡＶデータ受信装置が宅内ネットワークへ接続された場合に、宅外でＡＶデータを受信するためにＡＶデータ送信装置に登録されていた第２の受信装置情報が削除される。これにより、個人的利用の範囲に限定して、宅外の受信装置への配信及び宅外からの受信装置の登録を可能にすると共に、宅外から登録可能な最大台数まで登録した場合でも、新規の受信装置を登録することができる。
【００３７】
また、好ましくは、さらに、宅内ネットワークに接続されたことを検出する宅内ネットワーク接続検出部を備え、前記機器検索部は、前記宅内ネットワークに接続されたことが検出された場合に、前記宅内ネットワークに接続されているＡＶデータ送信装置を検索して前記第1の送信装置情報を取得し、前記第１の機器登録部は、前記識別情報記憶部によって記憶されている第２の送信装置情報と、前記機器検索部によって取得された前記第1の送信装置情報とが一致した場合に、前記第1の受信装置情報を前記ＡＶデータ送信装置に登録させる。
【００３８】
これによれば、宅内ネットワーク接続検出部が、ＡＶデータ受信装置が宅内ネットワークに接続されたことを検出した場合に、宅内ネットワークに接続されているＡＶデータ送信装置を検索して第1の送信装置情報を取得する。つまり、ＡＶデータ受信装置が宅外ネットワークから宅内ネットワークへ接続先を変更したことを検出して、第1の送信装置情報を取得することで、宅外でＡＶデータを受信するためにＡＶデータ送信装置に登録されていた第２の受信装置情報を、自動的に削除することができる。これにより、個人的利用の範囲に限定して、宅外の受信装置への配信及び宅外からの受信装置の登録を可能にすると共に、宅外から登録可能な最大台数まで登録した場合でも、新規の受信装置を登録することができる。
【００３９】
また、上記目的を達成するために、本発明に係るＡＶデータ送信装置は、ＡＶデータを暗号化する暗号処理部と、暗号化した前記ＡＶデータを、ＡＶデータを受信するＡＶデータ受信装置に送信するＡＶデータ送信部と、前記ＡＶデータ受信装置との間でコマンドを送受信するコマンド送受信部と、前記ＡＶデータ受信装置との間での近接性を確認する近接確認処理を実行し、前記ＡＶデータ受信装置の識別情報である第1の受信装置情報を自機器に登録する第１の機器登録部と、前記ＡＶデータ受信装置との間で前記近接確認処理を実行せずに、前記ＡＶデータ受信装置の識別情報である第２の受信装置情報を自機器に登録する第２の機器登録部と、前記ＡＶデータ受信装置との間で認証処理を実行し、前記ＡＶデータ受信装置の識別情報が自機器に登録されている場合に鍵情報の交換処理を実行する認証鍵交換部と、前記第1の受信装置情報と前記第２の受信装置情報とをそれぞれ記憶する識別情報管理部とを備え、前記第２の機器登録部は、前記第１の機器登録部によって登録された第１の受信装置情報を、前記第２の受信装置情報として登録していた場合、登録していた当該第２の受信装置情報を削除し、前記ＡＶデータ送信部は、前記鍵情報を用いて暗号化した前記ＡＶデータを前記ＡＶデータ受信装置に送信する。
【００４０】
これによれば、ＡＶデータ送信装置は、ＡＶデータ受信装置との間で近接確認処理を実行せずに、第２の受信装置情報を自機器に登録する。つまり、ＡＶデータ受信装置が宅外ネットワークに接続されている場合は、ＡＶデータ送信装置が第２の受信装置情報を登録することで、ＡＶデータを送信することができる。また、ＡＶデータ送信装置は、第１の受信装置情報を第２の受信装置情報として登録していた場合、登録していた当該第２の受信装置情報を削除する。つまり、ＡＶデータ受信装置が宅外ネットワークから宅内ネットワークへ接続先を変更した場合に、宅外でＡＶデータを受信するためにＡＶデータ送信装置に登録されていた第２の受信装置情報が削除される。これにより、個人的利用の範囲に限定して、宅外の受信装置への配信及び宅外からの受信装置の登録を可能にすると共に、宅外から登録可能な最大台数まで登録した場合でも、新規の受信装置を登録することができる。
【００４１】
また、上記目的を達成するために、本発明に係るＡＶデータ送受信システムは、ＡＶデータを送信するＡＶデータ送信装置と、ＡＶデータを受信するＡＶデータ受信装置とが、ＡＶデータを送受信するＡＶデータ送受信システムであって、前記ＡＶデータ送信装置は、ＡＶデータを暗号化する暗号処理部と、暗号化した前記ＡＶデータを、前記ＡＶデータ受信装置に送信するＡＶデータ送信部と、前記ＡＶデータ受信装置との間でコマンドを送受信する第１のコマンド送受信部と、前記ＡＶデータ受信装置との間での近接性を確認する近接確認処理を実行し、前記ＡＶデータ受信装置の識別情報である第1の受信装置情報を自機器に登録する第１の機器登録部と、前記ＡＶデータ受信装置との間で前記近接確認処理を実行せずに、前記ＡＶデータ受信装置の識別情報である第２の受信装置情報を自機器に登録する第２の機器登録部と、前記ＡＶデータ受信装置との間で認証処理を実行し、前記ＡＶデータ受信装置の識別情報が自機器に登録されている場合に鍵情報の交換処理を実行する第１の認証鍵交換部と、前記第1の受信装置情報と前記第２の受信装置情報とをそれぞれ記憶する識別情報管理部とを備え、前記第２の機器登録部は、前記第１の機器登録部によって登録された第１の受信装置情報を、前記第２の受信装置情報として登録していた場合、登録していた当該第２の受信装置情報を削除し、前記ＡＶデータ送信部は、前記鍵情報を用いて暗号化した前記ＡＶデータを前記ＡＶデータ受信装置に送信し、前記ＡＶデータ受信装置は、前記ＡＶデータ送信装置から、暗号化されたＡＶデータを受信するＡＶデータ受信部と、前記暗号化されたＡＶデータを復号する復号部と、前記ＡＶデータ送信装置との間でコマンドを送受信する第２のコマンド送受信部と、前記ＡＶデータ送信装置との間での近接性を確認する近接確認処理を実行し、自機器の識別情報である第1の受信装置情報を前記ＡＶデータ送信装置に登録させる第３の機器登録部と、前記ＡＶデータ送信装置との間で前記近接確認処理を実行せずに、自機器の識別情報である第２の受信装置情報を前記ＡＶデータ送信装置に登録させる第４の機器登録部と、前記ＡＶデータ送信装置との間で認証処理を実行し、自機器の識別情報が前記ＡＶデータ送信装置に登録されている場合に鍵情報の交換処理を実行する第２の認証鍵交換部と、前記第２の機器登録部によって自機器を登録したＡＶデータ送信装置の識別情報である第２の送信装置情報を記憶する識別情報記憶部と、宅内ネットワークに接続されているＡＶデータ送信装置を検索し、当該ＡＶデータ送信装置の識別情報である第1の送信装置情報を取得する機器検索部とを備え、前記第３の機器登録部は、取得された前記第１の送信装置情報と記憶されている前記第２の送信装置情報とが一致した場合に、前記第1の受信装置情報を、登録されている前記第２の受信装置情報に代えて前記ＡＶデータ送信装置に登録させ、前記復号部は、前記鍵情報を用いて、前記暗号化されたＡＶデータを復号する。
【００４２】
これによれば、ＡＶデータ受信装置は、ＡＶデータ送信装置との間で近接確認処理を実行せずに、第２の受信装置情報をＡＶデータ送信装置に登録させる。ＡＶデータ送信装置は、ＡＶデータ受信装置との間で近接確認処理を実行せずに、第２の受信装置情報を自機器に登録する。つまり、ＡＶデータ受信装置が宅外ネットワークに接続されている場合は、ＡＶデータ受信装置は、近接確認処理を実行せずにＡＶデータ送信装置に第２の受信装置情報を登録させることで、ＡＶデータを受信することができる。また、ＡＶデータ受信装置は、宅内ネットワークに接続されているＡＶデータ送信装置を検索し、第１の送信装置情報と第２の送信装置情報とが一致した場合に、第1の受信装置情報を第２の受信装置情報に代えてＡＶデータ送信装置に登録させる。ＡＶデータ送信装置は、第１の受信装置情報を第２の受信装置情報として登録していた場合、登録していた当該第２の受信装置情報を削除する。つまり、ＡＶデータ受信装置が宅外ネットワークから宅内ネットワークへ接続先を変更した場合に、宅外でＡＶデータを受信するためにＡＶデータ送信装置に登録されていた第２の受信装置情報が削除される。これにより、個人的利用の範囲に限定して、宅外の受信装置への配信及び宅外からの受信装置の登録を可能にすると共に、宅外から登録可能な最大台数まで登録した場合でも、新規の受信装置を登録することができる。
【００４３】
また、本発明は、このようなＡＶデータ送受信方法、ＡＶデータ受信装置、ＡＶデータ送信装置及びＡＶデータ送受信システムとして実現できるだけでなく、ＡＶデータ受信装置又はＡＶデータ送信装置を構成する各処理部を備える集積回路として実現したり、当該各処理部の処理をステップとする方法として実現したりすることができる。さらに、本発明は、それらステップをコンピュータに実行させるプログラムとして実現したり、そのプログラムを記録したコンピュータ読み取り可能なＣＤ−ＲＯＭなどの記録媒体として実現したり、そのプログラムを示す情報、データ又は信号として実現したりすることもできる。そして、それらプログラム、情報、データ及び信号は、インターネット等の通信ネットワークを介して配信してもよい。
【発明の効果】
【００４４】
以上の構成によって、本発明によれば、個人的利用の範囲に限定して、宅外の受信装置への配信及び宅外からの受信装置の登録を可能にすると共に、宅外から登録可能な最大台数まで登録した場合でも、新規の受信装置を登録することができる。
【図面の簡単な説明】
【００４５】
【図１】本発明の実施の形態におけるＡＶデータ送受信システムの構成を示す図
【図２】本発明の実施の形態におけるＡＶデータ受信装置である携帯端末の復号受信部の構成を示すブロック図
【図３】本発明の実施の形態におけるＡＶデータ送信装置であるＡＶサーバの暗号送信部の構成を示すブロック図
【図４】本発明の実施の形態におけるＡＶデータ送受信システムにおいて、宅内のＡＶデータ送信装置と宅外のＡＶデータ受信装置との間で実行される宅外登録処理の実行シーケンスを示すフローチャート
【図５】本発明の実施の形態におけるＡＶデータ送受信システムの宅内登録処理の実行シーケンスを示すフローチャート
【図６】従来のＡＶデータ送受信システムの構成を示す図
【図７】従来のＡＶデータ送受信システムにおいて、宅外の携帯端末を宅内のＡＶサーバに登録して宅外機器へのＡＶデータ配信を実行する場合の実行シーケンスを示すフローチャート
【発明を実施するための形態】
【００４６】
以下、本発明を実施するための形態について、図１から図５までを用いて詳細に説明する。
【００４７】
図１は、本発明の実施の形態におけるＡＶデータ送受信システム１０の構成を示す図である。具体的には、同図は、本実施の形態のＡＶデータ送受信システム１０を構成するＡＶデータ送信装置、ＡＶデータ受信装置及びルータが、宅内無線ネットワーク、インターネット及び宅外無線ネットワークを介して接続されている状態を示す図である。
【００４８】
図１に示すように、ユーザの自宅には、ＡＶデータを送信するＡＶデータ送信装置であるＡＶサーバ１及びルータ５が、ＩＥＥＥ８０２．１１による宅内無線ネットワーク４を介して接続されている。
【００４９】
またルータ５は、インターネット６と、ＩＥＥＥ８０２．１６による宅外無線ネットワーク７とを介して、宅外機器と接続することができる。
【００５０】
ＡＶデータを受信するＡＶデータ受信装置である携帯端末２及び携帯端末３は、携帯電話などユーザが携帯して使用するものであり、ユーザが自宅に居るときは自宅の宅内無線ネットワーク４を介して宅内の機器と通信し、ユーザが携帯して宅外に移動したときは、宅外無線ネットワーク７を介して宅内の機器と通信する。
【００５１】
ここで、図示しないが、ＡＶサーバ１は、ＡＶデータを暗号化して当該ＡＶデータを送信する暗号送信部３０を備えており、携帯端末２及び携帯端末３は、暗号化されたＡＶデータを受信して当該ＡＶデータを復号する復号受信部２０を備えている。
【００５２】
まず、携帯端末２又は携帯端末３が備える復号受信部２０について、説明する。
【００５３】
図２は、本発明の実施の形態におけるＡＶデータ受信装置である携帯端末２又は携帯端末３の復号受信部２０の構成を示すブロック図である。
【００５４】
携帯端末２又は携帯端末３の復号受信部２０は、送信機器登録管理部２１、宅外登録認証処理部２２、宅内登録認証処理部２３、宅外機器認証鍵交換処理部２４、宅内機器認証鍵交換処理部２５、コマンド送受信部２６、ＡＶデータ受信部２７、復号処理部２８及び無線伝送部２９を備えている。
【００５５】
ここで、送信機器登録管理部２１は、特許請求の範囲に記載の「識別情報記憶部」、「機器検索部」及び「宅内ネットワーク接続検出部」の機能を包含する。また、宅外登録認証処理部２２は、特許請求の範囲に記載のＡＶデータ受信装置の「第２の機器登録部」又は「第４の機器登録部」の機能を包含し、宅内登録認証処理部２３は、特許請求の範囲に記載のＡＶデータ受信装置の「第１の機器登録部」又は「第３の機器登録部」の機能を包含する。また、宅外機器認証鍵交換処理部２４及び宅内機器認証鍵交換処理部２５は、特許請求の範囲に記載のＡＶデータ受信装置の「認証鍵交換部」又は「第２の認証鍵交換部」の機能を包含し、コマンド送受信部２６は、特許請求の範囲に記載のＡＶデータ受信装置の「コマンド送受信部」又は「第２のコマンド送受信部」の機能を包含する。さらに、ＡＶデータ受信部２７は特許請求の範囲に記載の「ＡＶデータ受信部」の機能を、復号処理部２８は特許請求の範囲に記載の「復号部」の機能を、それぞれ包含する。
【００５６】
送信機器登録管理部２１は、宅外登録認証処理部２２によって自機器を登録したＡＶデータ送信装置の識別情報である宅外送信装置情報を記憶する。なお、宅外送信装置情報は、特許請求の範囲に記載の「第２の送信装置情報」に相当する。
【００５７】
具体的には、送信機器登録管理部２１は、宅外無線ネットワーク７に接続されている場合、コマンド送受信部２６及び無線伝送部２９を介して、ＡＶデータ送信装置であるＡＶサーバ１に登録確認コマンドを送信して、自機器がＡＶサーバ１に登録されているか否かを示す確認結果を取得する。そして、送信機器登録管理部２１は、当該確認結果から、自機器がＡＶサーバ１に未登録の場合は、宅外登録認証処理部２２に実行要求を出力し、宅外登録認証処理を実行させて、ＡＶサーバ１から入力した送信装置ＩＤである宅外送信装置情報を記憶する。
【００５８】
また、送信機器登録管理部２１は、宅内無線ネットワーク４に接続されたことを検出する。そして、送信機器登録管理部２１は、宅内無線ネットワーク４に接続されたことが検出された場合に、宅内無線ネットワーク４に接続されているＡＶデータ送信装置を検索し、当該ＡＶデータ送信装置の識別情報である宅内送信装置情報を取得する。なお、宅内送信装置情報は、特許請求の範囲に記載の「第1の送信装置情報」に相当する。
【００５９】
具体的には、送信機器登録管理部２１は、無線伝送部２９から無線ネットワーク種別を取得することで、宅内無線ネットワーク４に接続されたことを検出する。また、送信機器登録管理部２１は、宅外無線ネットワーク７から宅内無線ネットワーク４への接続に切り替わった時、コマンド送受信部２６を介して送信装置ＩＤ要求コマンドを送信することで、送信装置ＩＤである宅内送信装置情報を応答として取得する。そして、送信機器登録管理部２１は、取得した宅内送信装置情報が記憶されている送信装置ＩＤの場合は、宅内登録認証処理部２３に実行要求を出力して宅内登録認証処理を実行させ、実行結果を入力する。
【００６０】
宅外登録認証処理部２２は、ＡＶデータ送信装置との間での近接性を確認する近接確認処理を実行せずに、自機器の識別情報である宅外受信装置情報をＡＶデータ送信装置に登録させる。なお、宅外受信装置情報は、特許請求の範囲に記載の「第２の受信装置情報」に相当する。
【００６１】
具体的には、宅外登録認証処理部２２は、送信機器登録管理部２１からの実行要求が入力されると、コマンド送受信部２６及び無線伝送部２９を介して、ＡＶデータ送信装置であるＡＶサーバ１との間で近接確認処理を含まない宅外機器登録認証処理を実行して実行結果と、送信装置ＩＤである宅外送信装置情報を送信機器登録管理部２１に出力する。また、宅外登録認証処理部２２は、当該宅外機器登録認証処理において、ＡＶサーバ１に登録要求コマンドを送信し、自機器の受信装置ＩＤである宅外受信装置情報をＡＶサーバ１に登録させる。
【００６２】
宅内登録認証処理部２３は、ＡＶデータ送信装置との間での近接性を確認する近接確認処理を実行し、自機器の識別情報である宅内受信装置情報をＡＶデータ送信装置に登録させる。なお、宅内受信装置情報は、特許請求の範囲に記載の「第１の受信装置情報」に相当する。
【００６３】
具体的には、宅内登録認証処理部２３は、送信機器登録管理部２１からの実行要求が入力されると、コマンド送受信部２６及び無線伝送部２９を介して、ＡＶデータ送信装置であるＡＶサーバ１との間で近接確認処理を含む宅内機器登録認証処理を実行して、実行結果を送信機器登録管理部２１に出力する。また、宅内登録認証処理部２３は、当該宅内機器登録認証処理において、自機器の受信装置ＩＤである宅内受信装置情報をＡＶサーバ１に登録させる。
【００６４】
ここで、宅内登録認証処理部２３は、送信機器登録管理部２１が取得した宅内送信装置情報と、送信機器登録管理部２１が記憶している宅外送信装置情報とが一致した場合に、宅内受信装置情報を、登録されている宅外受信装置情報に代えて、ＡＶサーバ１に登録させる。
【００６５】
宅外機器認証鍵交換処理部２４及び宅内機器認証鍵交換処理部２５は、ＡＶデータ送信装置との間で認証処理を実行し、自機器の識別情報がＡＶデータ送信装置に登録されている場合に、鍵情報の交換処理を実行する。
【００６６】
具体的には、宅外機器認証鍵交換処理部２４は、コマンド送受信部２６及び無線伝送部２９を介して、ＡＶデータ送信装置であるＡＶサーバ１との間で宅外機器認証鍵交換処理を実行し、取得した宅外機器用の鍵（Ｋｘｒ）を復号処理部２８に出力する。
【００６７】
また、宅内機器認証鍵交換処理部２５は、コマンド送受信部２６及び無線伝送部２９を介して、ＡＶデータ送信装置であるＡＶサーバ１との間でＤＴＣＰ−ＩＰ方式による宅内機器認証鍵交換処理を実行し、取得した通常の鍵（Ｋｘ）を復号処理部２８に出力する。
【００６８】
コマンド送受信部２６は、ＡＶデータ送信装置との間でコマンドを送受信する。
【００６９】
具体的には、コマンド送受信部２６は、送信機器登録管理部２１、宅外登録認証処理部２２、宅内登録認証処理部２３、宅外機器認証鍵交換処理部２４、宅内機器認証鍵交換処理部２５及びＡＶデータ受信部２７に制御され、無線伝送部２９を介してＡＶサーバ１との間で各種コマンドとコマンド応答の送受信処理を実行する。
【００７０】
また、コマンド送受信部２６は、宅内機器認証鍵交換処理に関わる認証鍵交換コマンド、宅内登録認証処理に関わる認証コマンドについて、送信するコマンドに対応するＩＰパケットのＴＴＬを３に設定し、受信したコマンドに対応するＩＰパケットのＴＴＬをチュックし、４以上であれば不正コマンドと見なして破棄する。
【００７１】
ＡＶデータ受信部２７は、ＡＶデータ送信装置から、暗号化されたＡＶデータを受信する。
【００７２】
具体的には、ＡＶデータ受信部２７は、無線伝送部２９を介してＡＶサーバ１にＡＶデータ取得要求を送信し、受信した暗号化ＡＶデータと、復号鍵生成情報を含むヘッダ情報とを復号処理部２８に出力する。
【００７３】
復号処理部２８は、鍵情報を用いて、暗号化されたＡＶデータを復号する。
【００７４】
具体的には、復号処理部２８は、ＡＶデータ受信部２７から受信したヘッダ情報と、宅外機器認証鍵交換処理部２４、又は宅内機器認証鍵交換処理部２５からの鍵情報を使用して復号鍵を生成し、ＡＶデータ受信部２７から受信した暗号化ＡＶデータを復号して出力する。
【００７５】
無線伝送部２９は、ＩＥＥＥ８０２．１１規格による宅内無線ネットワーク４とＩＥＥＥ８０２．１６規格による宅外無線ネットワーク７との両方に対応した無線伝送部であり、受信する電波の状況によって使用する無線ネットワークを切り換えて、コマンド及びコマンド応答を送受信し、ＡＶデータを受信する。また、使用している無線ネットワークの種別を送信機器登録管理部２１に出力する。
【００７６】
次に、ＡＶサーバ１が備える暗号送信部３０について、説明する。
【００７７】
図３は、本発明の実施の形態におけるＡＶデータ送信装置であるＡＶサーバ１の暗号送信部３０の構成を示すブロック図である。
【００７８】
ＡＶサーバ１の暗号送信部３０は、宅外登録管理部３１、宅外登録認証処理部３２、宅内登録管理部３３、宅内登録認証処理部３４、宅外機器認証鍵交換処理部３５、宅内機器認証鍵交換処理部３６、暗号処理部３７、ＡＶデータ送信部３８、コマンド送受信部３９、及び無線伝送部４０を備えている。
【００７９】
ここで、宅外登録管理部３１及び宅外登録認証処理部３２は、特許請求の範囲に記載のＡＶデータ送信装置の「第２の機器登録部」及び「識別情報管理部」の機能を包含する。また、宅内登録管理部３３及び宅内登録認証処理部３４は、特許請求の範囲に記載のＡＶデータ送信装置の「第１の機器登録部」及び「識別情報管理部」の機能を包含する。また、宅外機器認証鍵交換処理部３５及び宅内機器認証鍵交換処理部３６は、特許請求の範囲に記載のＡＶデータ送信装置の「認証鍵交換部」又は「第１の認証鍵交換部」の機能を包含し、コマンド送受信部３９は、特許請求の範囲に記載のＡＶデータ送信装置の「コマンド送受信部」又は「第１のコマンド送受信部」の機能を包含する。さらに、暗号処理部３７は特許請求の範囲に記載の「暗号部」の機能を、ＡＶデータ送信部３８は特許請求の範囲に記載の「ＡＶデータ受信部」の機能を、それぞれ包含する。
【００８０】
宅外登録管理部３１及び宅外登録認証処理部３２は、ＡＶデータ受信装置との間で近接確認処理を実行せずに、ＡＶデータ受信装置の識別情報である宅外受信装置情報を自機器に登録する。
【００８１】
具体的には、宅外登録認証処理部３２は、コマンド送受信部３９及び無線伝送部４０を介して、ＡＶデータ受信装置である携帯端末２または携帯端末３との間で近接確認処理を含まない宅外登録認証処理を実行する。そして、宅外登録認証処理部３２は、当該宅外登録認証処理の実行結果と受信装置ＩＤである宅外受信装置情報とを宅外登録管理部３１に出力する。
【００８２】
また、宅外登録管理部３１は、宅外登録認証処理部３２から受信した宅外受信装置情報を登録し、当該宅外受信装置情報を宅外機器認証鍵交換処理部３５に出力する。つまり、宅外登録管理部３１は、宅外受信装置情報を記憶する。
【００８３】
また、宅外登録管理部３１は、宅内登録認証処理部３４によって登録された宅内受信装置情報を、宅外受信装置情報として登録していた場合、登録していた当該宅外受信装置情報を削除する。
【００８４】
具体的には、宅外登録管理部３１は、宅内登録管理部３３から、宅外受信装置情報の削除要求が入力されると、登録されている宅外受信装置情報を削除する。さらに、宅外登録管理部３１は、コマンド送受信部３９から、宅外受信装置情報が入力されると、当該宅外受信装置情報が登録済みかどうかを確認し、確認結果をコマンド送受信部３９に出力する。
【００８５】
宅内登録管理部３３及び宅内登録認証処理部３４は、ＡＶデータ受信装置との間での近接性を確認する近接確認処理を実行し、ＡＶデータ受信装置の識別情報である宅内受信装置情報を自機器に登録する。
【００８６】
具体的には、宅内登録認証処理部３４は、コマンド送受信部３９及び無線伝送部４０を介して、ＡＶデータ受信装置である携帯端末２または携帯端末３との間で近接確認処理を含む宅内登録認証処理を実行する。そして、宅内登録認証処理部３４は、当該宅内登録認証処理の実行結果と受信装置ＩＤである宅内受信装置情報を宅内登録管理部３３に出力する。
【００８７】
また、宅内登録管理部３３は、宅内登録認証処理部３４から受信した宅内受信装置情報を登録し、当該宅内受信装置情報を宅外機器認証鍵交換処理部３５に出力する。つまり、宅内登録管理部３３は、宅内受信装置情報を記憶する。
【００８８】
また、宅内登録管理部３３は、当該宅内受信装置情報と一致する宅外受信装置情報の削除要求を、宅外登録管理部３１に出力する。さらに、宅内登録管理部３３は、コマンド送受信部３９から、宅内受信装置情報が入力されると、当該宅内受信装置情報が登録済みかどうかを確認し、確認結果をコマンド送受信部３９に出力する。
【００８９】
宅外機器認証鍵交換処理部３５及び宅内機器認証鍵交換処理部３６は、ＡＶデータ受信装置との間で認証処理を実行し、ＡＶデータ受信装置の識別情報が自機器に登録されている場合に鍵情報の交換処理を実行する。
【００９０】
具体的には、宅外機器認証鍵交換処理部３５は、コマンド送受信部３９及び無線伝送部４０を介して、ＡＶデータ受信装置である携帯端末２または携帯端末３との間で宅外機器認証鍵交換処理を実行する。そして、宅外機器認証鍵交換処理部３５は、宅外機器用の鍵（Ｋｘｒ）を携帯端末２または携帯端末３に送信するとともに、当該宅外機器用の鍵（Ｋｘｒ）を暗号処理部３７に出力する。
【００９１】
また、宅内機器認証鍵交換処理部３６は、コマンド送受信部３９及び無線伝送部４０を介して、携帯端末２または携帯端末３との間でＤＴＣＰ−ＩＰ方式による宅内機器認証鍵交換処理を実行する。そして、宅内機器認証鍵交換処理部３６は、通常の鍵（Ｋｘ）を携帯端末２または携帯端末３に送信するとともに、当該通常の鍵（Ｋｘ）を暗号処理部３７に出力する。
【００９２】
暗号処理部３７は、鍵情報を用いてＡＶデータを暗号化する。
【００９３】
具体的には、暗号処理部３７は、宅外機器認証鍵交換処理部３５または宅内機器認証鍵交換処理部３６からの鍵情報と、暗号鍵生成情報とを使用して暗号鍵を生成し、ＡＶデータを暗号化してＡＶデータ送信部３８に出力する。また、暗号処理部３７は、暗号化に使用した暗号鍵生成情報を復号鍵生成情報としてＡＶデータ送信部３８に出力する。
【００９４】
ＡＶデータ送信部３８は、鍵情報を用いて暗号化したＡＶデータを、ＡＶデータ受信装置に送信する。
【００９５】
具体的には、ＡＶデータ送信部３８は、携帯端末２または携帯端末３から受信するＡＶデータ取得要求に応じて、暗号処理部３７から復号鍵生成情報と暗号化されたＡＶデータとを受信する。そして、ＡＶデータ送信部３８は、当該暗号化されたＡＶデータをパケット化して復号鍵生成情報をヘッダ情報として付与し、無線伝送部４０を介して、携帯端末２または携帯端末３に送信する。
【００９６】
コマンド送受信部３９は、ＡＶデータ受信装置との間でコマンドを送受信する。
【００９７】
具体的には、コマンド送受信部３９は、宅外登録認証処理部３２、宅内登録認証処理部３４、宅外機器認証鍵交換処理部３５、及び宅内機器認証鍵交換処理部３６に制御され、無線伝送部４０を介して携帯端末２または携帯端末３との間で各種コマンド及びコマンド応答の送受信処理を実行する。
【００９８】
また、コマンド送受信部３９は、無線伝送部４０を介して携帯端末２または携帯端末３から登録確認コマンドが入力されると、コマンドに格納されている受信装置ＩＤを宅外登録管理部３１及び宅内登録管理部３３に出力する。さらに、コマンド送受信部３９は、宅外登録管理部３１及び宅内登録管理部３３からの確認結果をコマンド応答に格納して、無線伝送部４０に出力する。
【００９９】
また、コマンド送受信部３９は、宅内機器認証鍵交換処理に関わる認証鍵交換コマンド、宅内登録認証処理に関わる認証コマンドについて、送信するコマンドに対応するＩＰパケットのＴＴＬを３に設定し、受信したコマンドに対応するＩＰパケットのＴＴＬをチュックし、４以上であれば不正コマンドと見なして破棄する。
【０１００】
無線伝送部４０は、ＩＥＥＥ８０２．１１規格による宅内無線ネットワーク４に対応した無線伝送部であり、宅内無線ネットワーク４を介して、コマンド及びコマンド応答を送受信し、ＡＶデータを送信する。
【０１０１】
上記のように構成されたＡＶデータ送受信システム１０の動作について、以下に説明する。
【０１０２】
図４は、本実施の形態のＡＶデータ送受信システム１０において、宅内のＡＶデータ送信装置と宅外のＡＶデータ受信装置との間で実行される宅外登録処理の実行シーケンスを示すフローチャートである。
【０１０３】
まず、宅外のＡＶデータ受信装置である携帯端末２が、宅内のＡＶデータ送信装置であるＡＶサーバ１に登録されているか否かの確認が行われる（Ｓ４０１）。
【０１０４】
具体的には、携帯端末２は、宅外無線ネットワーク７に接続された状態で、ＡＶサーバ１に登録確認コマンドを送信して、自機器の受信装置ＩＤである宅外受信装置情報を通知する。そして、ＡＶサーバ１は、携帯端末２の宅外受信装置情報が登録されているか否かを確認して、確認結果を登録確認コマンド応答に格納して送信する。
【０１０５】
次に、携帯端末２は、当該確認結果から当該宅外受信装置情報が未登録であるか否かを判定し（Ｓ４０２）、当該宅外受信装置情報が登録済みであると判定した場合は（Ｓ４０２でＮＯ）、宅外登録処理を終了する。
【０１０６】
また、携帯端末２が、当該宅外受信装置情報が未登録であると判定した場合（Ｓ４０２でＹＥＳ）、ＡＶサーバ１の宅外登録認証処理部３２と携帯端末２の宅外登録認証処理部２２とが、以降の宅外登録認証処理（Ｓ４０３〜Ｓ４１１）を実行する。
【０１０７】
宅外登録認証処理では、まず、携帯端末２は、リモコン受信部（図示せず）によって暗証番号を受信すると、当該宅外登録認証処理を開始する（Ｓ４０３）。
【０１０８】
そして、携帯端末２は、自機器の機器ＩＤを格納した登録認証開始コマンドを、ＡＶサーバ１に送信する（Ｓ４０４）。また、ＡＶサーバ１も、自機器の機器ＩＤを格納した登録認証開始コマンドを、携帯端末２に送信する（Ｓ４０５）。
【０１０９】
続いて、ＡＶサーバ１と携帯端末２とが認証処理を実行する（Ｓ４０６）。そして、当該認証処理が成功すると、携帯端末２は、認証処理によって共有した鍵情報を使用して暗号化した暗証番号を、登録要求コマンドに格納して送信する（Ｓ４０７）。
【０１１０】
また、ＡＶサーバ１は、受信した暗証番号を復号して、当該暗証番号が登録済みかどうかを確認し（Ｓ４０８）、当該暗証番号が登録済みかつ、既に宅外から登録された受信装置の台数が２台未満であって、携帯端末２を登録可能であるか否かを判定する（Ｓ４０９）。なお、携帯端末２を登録可能であるか否かを判定するための受信装置の宅外登録台数は、少ない方が好ましいが、当該宅外登録台数は２台未満には限定されず、２台以上であってもよい。
【０１１１】
ＡＶサーバ１は、携帯端末２を登録可能と判定した場合は（Ｓ４０９でＹＥＳ）、携帯端末２の機器ＩＤを、宅外登録認証処理によって登録された受信装置ＩＤである宅外受信装置情報として記録する（Ｓ４１０）。
【０１１２】
そして、ＡＶサーバ１は、携帯端末２を登録成功か登録失敗かの登録結果を、登録要求コマンド応答に格納して、携帯端末２に送信する（Ｓ４１１）。そして、携帯端末２は、登録要求コマンド応答を受信して、登録結果を確認し（Ｓ４１１）、登録成功の場合は、受信したＡＶサーバ１の機器ＩＤを送信装置ＩＤである宅内送信装置情報として記録する（Ｓ４１２）。
【０１１３】
以上のように、携帯端末２が宅外無線ネットワーク７を介してＡＶサーバ１と接続された場合に、ＡＶサーバ１が携帯端末２の宅外受信装置情報を登録するとともに、携帯端末２がＡＶサーバ１の宅外送信装置情報を登録する。
【０１１４】
以上で宅外登録認証処理を終了し、宅外登録認証鍵交換処理およびＡＶデータ伝送を実行することが可能になる。
【０１１５】
つまり、ＡＶサーバ１と携帯端末２との間で、宅外アクセス用の宅外登録認証鍵交換処理が行われ（Ｓ４１３）、ＡＶサーバ１がＡＶデータを暗号化して送信し、携帯端末２がＡＶデータを受信して復号することで、ＡＶデータの伝送が行われる（Ｓ４１４）。
【０１１６】
以上により、宅内のＡＶデータ送信装置と宅外のＡＶデータ受信装置との間で実行される宅外登録処理が終了する。
【０１１７】
次に、宅内のＡＶデータ送信装置と宅内のＡＶデータ受信装置との間で実行される宅内登録処理について、説明する。
【０１１８】
図５は、本実施の形態におけるＡＶデータ送受信システムの宅内登録処理の実行シーケンスを示すフローチャートである。
【０１１９】
まず、ＡＶデータ受信装置である携帯端末２が宅外から宅内に持ち込まれると、携帯端末２の接続先が、宅外無線ネットワーク７から宅内無線ネットワーク４に切り換えられる（Ｓ５０１）。
【０１２０】
そして、携帯端末２は、接続先が宅内無線ネットワーク４に切り換えられたことを検出すると、当該ネットワーク内のＡＶデータ送信装置であるＡＶサーバ１に送信装置ＩＤ要求コマンドを送信し、ＡＶサーバ１の機器ＩＤである宅内送信装置情報を取得する（Ｓ５０２）。
【０１２１】
そして、携帯端末２は、取得した宅内送信装置情報が宅外登録処理時に記録した宅外送信装置情報と一致するか否かを判定する（Ｓ５０３）。
【０１２２】
つまり、携帯端末２が宅内無線ネットワーク４を介してＡＶサーバ１と接続された場合に、携帯端末２が、ＡＶサーバ１の宅内送信装置情報を取得し、取得した宅内送信装置情報と登録されている宅外送信装置情報とが一致しているか否かを判断する。
【０１２３】
そして、携帯端末２は、宅内送信装置情報が宅外送信装置情報と一致しないと判定した場合（Ｓ５０３でＮＯ）、宅内登録処理を終了する。
【０１２４】
また、携帯端末２が、宅内送信装置情報が宅外送信装置情報と一致すると判定した場合は（Ｓ５０３でＹＥＳ）、ＡＶサーバ１の宅内登録認証処理部３４と携帯端末２の宅内登録認証処理部２３とが、宅内登録認証処理（Ｓ５０４〜Ｓ５１１）を実行する。つまり、携帯端末２は、宅内送信装置情報と宅外送信装置情報とが一致していると判断した場合に、携帯端末２の宅内受信装置情報をＡＶサーバ１に登録させる。
【０１２５】
宅内登録認証処理では、まず、携帯端末２は、自機器の機器ＩＤを格納した登録認証開始コマンドを、ＡＶサーバ１に送信する（Ｓ５０４）。また、ＡＶサーバ１も、自機器の機器ＩＤを格納した登録認証開始コマンドを、携帯端末２に送信する（Ｓ５０５）。
【０１２６】
続いて、ＡＶサーバ１及び携帯端末２は、認証処理（Ｓ５０６）を実行して、相互機器認証を実行し、ＲＴＴ確認処理（Ｓ５０７）を実行して、ＲＴＴが所定値以下であることを確認する。
【０１２７】
ＲＴＴ確認処理が成功すると、ＡＶサーバ１は、現状の宅内登録台数が３２台未満であるかを確認して、携帯端末２の登録可否を判定する（Ｓ５０８）。なお、携帯端末２を宅内登録可能であるか否かを判定するための受信装置の宅内登録台数は、３２台未満には限定されず、どのような台数でも構わない。
【０１２８】
そして、ＡＶサーバ１は、宅内登録台数が３２台以上であれば登録不可であると判定して（Ｓ５０８でＮＯ）、宅内登録処理を終了する。また、ＡＶサーバ１は、宅内登録台数が３２台より少ない場合は登録可能であると判定し（Ｓ５０８でＹＥＳ）、携帯端末２の宅内受信装置情報を登録する処理である受信装置ＩＤ宅内登録処理を実行する（Ｓ５０９）。
【０１２９】
そして、ＡＶサーバ１は、宅内登録通知コマンドを携帯端末２に送信する（Ｓ５１０）。
【０１３０】
宅内登録認証処理が成功すると、ＡＶサーバ１は、宅内登録した受信装置ＩＤを宅外登録認証処理によって登録された受信装置ＩＤのリストから削除する（Ｓ５１１）。つまり、ＡＶサーバ１は、登録している宅外受信装置情報のうち登録された宅内受信装置情報と一致している宅外受信装置情報を削除する。
【０１３１】
そして、ＡＶサーバ１と携帯端末２との間で、宅内アクセス用の宅内登録認証鍵交換処理が行われ（Ｓ５１２）、ＡＶサーバ１がＡＶデータを暗号化して送信し、携帯端末２がＡＶデータを受信して復号することで、ＡＶデータの伝送が行われる（Ｓ５１３）。
【０１３２】
以上により、宅内のＡＶデータ送信装置と宅内のＡＶデータ受信装置との間で実行される宅内登録処理が終了する。
【０１３３】
上記のように構成したＡＶデータ送受信システム１０において、ＡＶサーバ１に、宅外登録認証処理によって既に携帯端末３が登録されていた場合、宅外登録認証処理によって携帯端末２を登録すると、登録可能な最大台数２台に達してしまい、一時的に、これ以上宅外からの登録は出来なくなるが、携帯端末２を自宅に持ち帰ると、宅内登録処理を実行して宅外登録によって登録された受信装置のリストから携帯端末２を削除するため、引き続き宅外からの登録が可能になる。また、近接確認を行う宅内登録認証処理を実行した上で登録を削除するため、個人的利用の範囲で許諾された受信装置数の範囲で、受信装置の登録を管理することが出来る。
【０１３４】
以上の構成によって、本発明に係るＡＶデータ送受信システム１０においては、携帯端末を宅外に持出して宅外から登録を実行し、登録可能な最大台数に至った場合でも、宅内登録可能な最大台数に至っていない場合は、携帯端末が宅外から宅内に持ち込まれた時に、宅内登録処理を実行し、宅外登録した受信装置ＩＤを削除することによって、宅外からの不特定多数の携帯機器からの登録を防止すると同時に、個人的利用の範囲として許諾された登録可能な台数を守りつつ、容易に新規の受信装置を宅外から登録することができる。
【０１３５】
また、本発明に係るＡＶデータ送受信システム１０は、携帯端末が宅外から宅内に持ち込まれて、宅内ネットワークに接続されると、宅内ネットワーク内の送信装置を検索し、宅外から自機器のＩＤを登録した登録先の送信装置を検出した時には、自動的に宅内登録処理を実行するため、ユ−ザが実行を指示する必要なく、宅外から登録した受信装置ＩＤを削除することができる。
【０１３６】
また、本発明に係るＡＶデータ受信装置である携帯端末は、宅外無線ネットワーク７に接続されている場合は、近接確認処理を実行せずにＡＶサーバ１に宅外受信装置情報を登録させることで、ＡＶデータを受信することができる。また、携帯端末は、接続先が宅外無線ネットワーク７から宅内無線ネットワーク４へ変更された場合に、宅内無線ネットワーク４に接続されているＡＶサーバ１を検索し、宅内送信装置情報と宅外送信装置情報とが一致した場合に、宅内受信装置情報を宅外受信装置情報に代えてＡＶサーバ１に登録させる。つまり、携帯端末が宅内無線ネットワーク４へ接続された場合に、宅外でＡＶデータを受信するためにＡＶサーバ１に登録されていた宅外受信装置情報が削除される。これにより、個人的利用の範囲に限定して、宅外の受信装置への配信及び宅外からの受信装置の登録を可能にすると共に、宅外から登録可能な最大台数まで登録した場合でも、新規の受信装置を登録することができる。
【０１３７】
また、本発明に係るＡＶデータ送信装置であるＡＶサーバ１は、携帯端末が宅外無線ネットワーク７に接続されている場合は、ＡＶサーバ１が宅外受信装置情報を登録することで、ＡＶデータを送信することができる。また、ＡＶサーバ１は、宅内受信装置情報を宅外受信装置情報として登録していた場合、登録していた当該宅外受信装置情報を削除する。つまり、携帯端末が宅外無線ネットワーク７から宅内無線ネットワーク４へ接続先を変更した場合に、宅外でＡＶデータを受信するためにＡＶサーバ１に登録されていた宅外受信装置情報が削除される。これにより、個人的利用の範囲に限定して、宅外の受信装置への配信及び宅外からの受信装置の登録を可能にすると共に、宅外から登録可能な最大台数まで登録した場合でも、新規の受信装置を登録することができる。
【０１３８】
また、本発明は、このようなＡＶデータ送受信システム、ＡＶデータ受信装置、ＡＶデータ送信装置及びＡＶデータ送受信方法として実現できるだけでなく、ＡＶデータ受信装置又はＡＶデータ送信装置を構成する各処理部を備える集積回路として実現したり、当該各処理部の処理をステップとする方法として実現したりすることができる。さらに、本発明は、それらステップをコンピュータに実行させるプログラムとして実現したり、そのプログラムを記録したコンピュータ読み取り可能なＣＤ−ＲＯＭなどの記録媒体として実現したり、そのプログラムを示す情報、データ又は信号として実現したりすることもできる。そして、それらプログラム、情報、データ及び信号は、インターネット等の通信ネットワークを介して配信してもよい。
【０１３９】
以上、本発明に係るＡＶデータ送受信システム、ＡＶデータ受信装置、ＡＶデータ送信装置、ＡＶデータ送受信方法、ＡＶデータ受信方法及びＡＶデータ送信方法について、上記実施の形態を用いて説明したが、本発明は、これに限定されるものではない。
【０１４０】
つまり、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【０１４１】
例えば、本発明の実施の形態において、宅内無線ネットワークとしてＩＥＥＥ８０２．１１、宅外無線ネットワークとしてＩＥＥＥ８０２．１６を使用しているが、無線メディアの方式はこれらに限定されない。また、無線伝送方式には限定されず、光通信、有線通信方式などの他の伝送方式でもよい。
【０１４２】
また、本発明のＡＶデータ送受信システムでは、宅内と宅外で異なる無線メディアを使用し、その違いで宅内ネットワークと宅外ネットワークを判定しているが、サブネットの確認などのメディアの違い以外の方法によって、宅内ネットワークか、宅外ネットワークかを判定してもよい。
【０１４３】
また、本発明のＡＶデータ送受信システムでは、近接確認の手段として、ＲＴＴ測定及びＴＴＬ確認を実行しているが、近接無線による認証処理など他の近接確認手段を使用してもよい。
【産業上の利用可能性】
【０１４４】
本発明は、著作権保護されたＡＶデータを送受信するＡＶデータ受信装置及びＡＶデータ送信装置、ＡＶデータ送受信方法、ＡＶデータ受信方法、ＡＶデータ送信方法、ＡＶデータ送受信システムに関するものであり、同一のＡＶデータ受信装置で宅内及び宅外の両方のネットワーク環境から、宅内のＡＶデータ送信装置にアクセスできるＡＶデータ受信装置及びＡＶデータ送信装置、ＡＶデータ送受信方法、ＡＶデータ受信方法、ＡＶデータ送信方法、ＡＶデータ送受信システムにおいて有用である。
【符号の説明】
【０１４５】
１  ＡＶサーバ（ＡＶデータ送信装置）
２  携帯端末（ＡＶデータ受信装置）
３  携帯端末（ＡＶデータ受信装置）
４  宅内無線ネットワーク
５  ルータ
６  インターネット
７  宅外無線ネットワーク
１０  ＡＶデータ送受信システム
２０  復号受信部
２１  送信機器登録管理部
２２  宅外登録認証処理部
２３  宅内登録認証処理部
２４  宅外機器認証鍵交換処理部
２５  宅内機器認証鍵交換処理部
２６  コマンド送受信部
２７  ＡＶデータ受信部
２８  復号処理部
２９  無線伝送部
３０  暗号送信部
３１  宅外登録管理部
３２  宅外登録認証処理部
３３  宅内登録管理部
３４  宅内登録認証処理部
３５  宅外機器認証鍵交換処理部
３６  宅内機器認証鍵交換処理部
３７  暗号処理部
３８  ＡＶデータ送信部
３９  コマンド送受信部
４０  無線伝送部
１０１  ＡＶサーバ
１０２  携帯端末
１０３  携帯端末
１０４  宅内無線ネットワーク
１０５  ルータ
１０６  インターネット
１０７  宅外無線ネットワーク
【図１】
2012004916.tif 000003
【図２】
2012004916.tif 000004
【図３】
2012004916.tif 000005
【図４】
2012004916.tif 000006
【図５】
2012004916.tif 000007
【図６】
2012004916.tif 000008
【図７】
2012004916.tif 000009